(57)【要約】  【課題】用紙を節約しながら電子メールのヘッダ情報などの欠落を防止し、電子メールと画像データとの整合を容易にとることができる通信端末装置を提供する。  【解決手段】インターネットファクスを受信すると、電子メールに添付された受信画像データを画像メモリに蓄積するとともに、電子メールのヘッダ情報及びメール本文のテキストデータをメール情報記憶部に保存する（ステップ102、103）。次に、電子メールに添付された受信画像データをプリントした後、画像データをプリントした用紙を反転し、裏面に「Ｆｒｏｍ」、「Ｄａｔｅ」、「Ｔｏ」、「Ｃｃ」のヘッダ情報とメール本文をプリントし、用紙を排出する（ステップ104〜107）。これにより、用紙を節約しながらヘッダ情報などの欠落を防止することができるとともに、本来の原稿のページとは異なる位置で区切られることなく、電子メールに添付された受信画像をプリントすることができる。  【選択図】図３
2007074099.tif 000002
【特許請求の範囲】
【請求項１】
インターネットファクスを受信するとともに、電子メールに添付された受信画像を印刷する制御手段を備えた通信端末装置であって、
インターネットファクス受信時に、上記制御手段が、受信画像が印刷された用紙の裏面に電子メールのヘッダ情報等のテキストデータを印刷することを特徴とする通信端末装置。
【請求項２】
請求項１に記載された通信端末装置において、
上記テキストデータが、少なくとも「Ｔｏ」、「Ｆｒｏｍ」のヘッダ情報とメール本文よりなることを特徴とする通信端末装置。
【請求項３】
請求項１に記載された通信端末装置において、
上記テキストデータが、少なくとも「Ｔｏ」、「Ｆｒｏｍ」のヘッダ情報よりなることを特徴とする通信端末装置。
【発明の詳細な説明】
【技術分野】
【０００１】
本発明は、通信端末装置に関し、特にインターネットファクス受信を行った場合に、電子メールのヘッダ情報等を記録する機能を備えた通信端末装置に関する。
【背景技術】
【０００２】
近年、ＬＡＮ（Local Area Network）等の通信回線で接続し、さらにネットワーク化したインターネット等を介して電子メールを配信するコンピュータ通信網が普及しているが、従来のファクシミリ手順は上記のようなコンピュータ通信網を利用するコンピュータ通信の通信手順とは異なるため、ファクシミリ装置からコンピュータ通信網へ直接通信することはできない。
【０００３】
しかし、ファクシミリ通信で通常送受信される原稿等の画像データであっても、電子メール形式に変換することにより、コンピュータ通信網を介して送受信することができるので、送信原稿を電子メールとしてインターネット通信で送受信できるようにした電子メール機能付きのインターネットファクシミリが開発されている。
【０００４】
このようなインターネットファクシミリにおいて、画像データの添付された電子メールがファクシミリ装置により受信されると、受信された画像データは印刷されるが、電子メールの内容はメモリに記憶されたままとなる。この電子メールのヘッダ情報やメール本文は、所定の操作によって呼出し、ファクシミリ装置のＬＣＤ表示画面に表示することができるので、ユーザは受信した電子メールと画像データとを対応させて必要な情報を入手することができる。
【０００５】
しかしながら、画像データには、受信時間とページ数が付される程度であるので、次々に印刷された画像データのうち、どの画像データがどの電子メールに添付されたものなのか識別することが困難であるという問題点がある。
さらに、印刷されるのは電子メールに添付された画像データだけであるので、ユーザが電子メールの存在に気づきにくく、送信者から発せられた情報が十分にユーザに伝達されないという問題点もあった。
【０００６】
このため、画像データの添付された電子メールがファクシミリ装置により受信された場合、受信された画像データと電子メールのヘッダ情報を印刷することが行われている（例えば、特許文献１参照）。
【特許文献１】特開２０００−３３２０号公報
【発明の開示】
【発明が解決しようとする課題】
【０００７】
上記のように、画像データの添付された電子メールがファクシミリ装置により受信された場合、ヘッダ情報を記録しないと、電子メールと画像データとの整合が難しくなるという問題を生じるので、受信された画像データと電子メールのヘッダ情報を印刷するようにしているが、ヘッダ情報の中には受信側のユーザが不要な情報も種々含まれているので、電子メールのヘッダ情報をプリントさせると、多くの場合、用紙の無駄遣いになる。
また、受信側の装置において第１ページにヘッダ情報を印刷し、それに続いて本来の原稿の第１ページを印刷すると、以降の各ページは本来の原稿のページとは異なる位置で区切られることになる、という問題も生じる。
【０００８】
本発明は、上記の問題に鑑みてなされたもので、用紙を節約しながら電子メールのヘッダ情報などの欠落を防止し、電子メールと画像データとの整合を容易にとることができる通信端末装置を提供することを目的とする。
【課題を解決するための手段】
【０００９】
上述の目的を達成するため、請求項１に係る発明の通信端末装置は、インターネットファクスを受信するとともに、メールに添付された受信画像を印刷する制御手段を備えた通信端末装置であって、インターネットファクス受信時に、上記制御手段が、受信画像が印刷された用紙の裏面に電子メールのヘッダ情報等のテキストデータを印刷することを特徴とする。
【００１０】
また、請求項２に係る発明の通信端末装置は、請求項１に記載された通信端末装置において、上記テキストデータが、少なくとも「Ｔｏ」、「Ｆｒｏｍ」のヘッダ情報とメール本文よりなることを特徴とし、
請求項３に係る発明の通信端末装置は、請求項１に記載された通信端末装置において、上記テキストデータが、少なくとも「Ｔｏ」、「Ｆｒｏｍ」のヘッダ情報よりなることを特徴とする。
【発明の効果】
【００１１】
本発明の請求項１〜請求項３に係る発明の通信端末装置によれば、インターネットファクス受信時に、電子メールのヘッダ情報等のテキストデータが受信画像が印刷された用紙の裏面に印刷されるので、用紙を節約しながらヘッダ情報などの欠落を防止することができるとともに、印刷された原稿が本来の原稿のページとは異なる位置で区切られることも防止することができる。
【実施例１】
【００１２】
以下、本発明の通信端末装置をデジタル複合機に適用した実施例について、図面を用いて説明する。図１はデジタル複合機を備えたシステムのネットワーク構成例を示す図であり、図２はデジタル複合機のハードウェア構成を示すブロック図である。
【００１３】
図１に示すネットワーク構成図において、１はデジタル複合機、２、３、４・・・はパソコン、５は公衆交換電話網（ＰＳＴＮ）、６はＬＡＮ（Local Area Network）、７はインターネット網である。デジタル複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介して電子メールの送受信を行うことが可能である。
【００１４】
図２はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０及びＬＡＮインターフェース（Ｉ／Ｆ）２１から構成され、各部がバス２２を介して接続されている。
【００１５】
ＣＰＵ１１はバス２２を介してデジタル複合機１のハードウェア各部を制御するとともに、ＲＯＭ１２に記憶されたプログラムに基づいて各種のプログラムを実行し、ＲＯＭ１２はデジタル複合機１の動作に必要な種々のプログラムや操作メッセージ等を予め記憶している。また、ＲＡＭ１３はＳＲＡＭ等で構成され、プログラムの実行時に発生する一時的なデータを記憶するとともに、インターネットファクス受信時のメール情報を記憶するメール情報記憶部２３を備えている。
【００１６】
このメール情報記憶部２３には、インターネットファクスを受信した場合、受信原稿が添付された電子メールのヘッダ情報、例えば、「受信者（Ｔｏ）」、「送信者（Ｆｒｏｍ）」、「カーボン・コピー（Ｃｃ）」、「題目（Ｓｕｂｊｅｃｃｔ）」、「送信日時（Ｄａｔｅ）」等とメール本文が格納される。
【００１７】
また、表示・操作部１４は、デジタル複合機１の動作状態を表示したり、種々の機能の操作画面の表示を行う表示部と、デジタル複合機１を操作するための複数のキーよりなり、読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
【００１８】
画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトする。なお、記録部１７は、プリントした用紙の表裏を反転させる印刷用紙反転機構（図示せず）を備えている。
【００１９】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２０】
また、モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２１】
さらに、ＬＡＮインターフェース２１はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２２】
デジタル複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７によりプリントされる。
【００２３】
一方、このデジタル複合機１はインターネットファクスを受信することもでき、以下、インターネットファクス受信時のＣＰＵ１１の作用を図３のフローチャートにより説明する。
デジタル複合機１のＣＰＵ１１は、常時、図３のフローチャートに示すインターネットファクス受信プログラムを実行してインターネットファクス受信があったか否かを判定しており（ステップ１０１）、インターネットファクスを受信した場合には、電子メールに添付された受信画像データをコーデック１８で復号した後、画像メモリ１６に蓄積する（ステップ１０２）。
【００２４】
次に、ＣＰＵ１１は、電子メールのヘッダ情報及びメール本文のテキストデータをメール情報記憶部２３に保存した（ステップ１０３）後、電子メールに添付された受信画像データを画像メモリ１６から読み出してコーデック１８で復号し、記録部１７によりプリントする（ステップ１０４）。
そして、受信した画像データのプリントが完了すると、画像データをプリントした用紙を記録部１７の印刷用紙反転機構により反転した（ステップ１０５）後、画像データをプリントした用紙の裏面に「Ｆｒｏｍ」、「Ｄａｔｅ」、「Ｔｏ」、「Ｃｃ」のヘッダ情報とメール本文をプリントし（ステップ１０６）、用紙を排出する（ステップ１０７）。
【００２５】
以上のように、インターネットファクス受信を行った場合、図４に示すように、画像データをプリントした印刷用紙の裏面に受信した電子メールのヘッダ情報及びメール本文がプリントされるので、用紙を節約しながらヘッダ情報などの欠落を防止することができるとともに、電子メールに添付された受信画像が本来の原稿のページとは異なる位置で区切られることなく、プリントすることができる。
【００２６】
なお、上記の実施例では、画像データをプリントした印刷用紙の裏面に受信した電子メールの「Ｆｒｏｍ」、「Ｄａｔｅ」、「Ｔｏ」、「Ｃｃ」のヘッダ情報とメール本文をプリントしたが、ヘッダ情報としては「Ｆｒｏｍ」、「Ｔｏ」のみをプリントしてもよく、また、メール本文をプリントしないようにすることも可能である。
【００２７】
また、上記の実施例では、本発明の通信端末装置をコピー機能、ファクシミリ機能、プリント機能、スキャナ機能等を有するデジタル複合機に適用した例を説明したが、本発明の通信端末装置はコピー機能等を持たないファクシミリ装置にも適用可能である。
【図面の簡単な説明】
【００２８】
【図１】本発明の通信端末装置を適用したデジタル複合機を備えたシステムのネットワーク構成例を示す図である。
【図２】デジタル複合機のハードウェア構成を示すブロック図である。
【図３】インターネットファクス受信を行う場合のＣＰＵの作用を示すフローチャートである。
【図４】画像データとメール情報をプリントした記録の一例を示す図である。
【符号の説明】
【００２９】
１  デジタル複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
２３  メール情報記憶部
【図１】
2007074099.tif 000003
【図２】
2007074099.tif 000004
【図３】
2007074099.tif 000005
【図４】
2007074099.tif 000006